(57)【要約】【課題】逆方向に発生する信号を無くし、または、無いに等しくなるように制御し、誤動作を防止する。【解決手段】パルス通信受信回路１００は、入力信号の低周波成分を第１低域遮断周波数に基づいて除去する低周波カットフィルタ１０４と、この低周波成分が除去された信号を増幅する電圧増幅器１０５と、この増幅された信号の低周波成分を第２低域遮断周波数に基づいて除去する低周波カットフィルタ１０６と、上記入力信号の低周波成分を第３低域遮断周波数に基づいて除去する低周波カットフィルタ１０８と、低周波カットフィルタ１０６により低周波成分が除去された信号に低周波カットフィルタ１０８により低周波成分が除去された信号を足し合わせる加算器１１０と、加算器１１０により足し合わせられた信号を閾値と比較することにより２値化したパルス信号を作成する２値化回路１１１とを備えている。【選択図】図１
2010010817.tif 000002
【特許請求の範囲】
【請求項１】
入力信号の低周波成分を第１低域遮断周波数に基づいて除去する第１フィルタ回路と、上記第１フィルタ回路により低周波成分が除去された信号を増幅する第１増幅器と、上記第１増幅器により増幅された信号の低周波成分を第２低域遮断周波数に基づいて除去する第２フィルタ回路と、上記第２フィルタ回路により低周波成分が除去された信号を閾値と比較することにより２値化したパルス信号を作成する２値化回路とを備えているパルス通信受信回路であって、
上記入力信号の低周波成分を第３低域遮断周波数に基づいて除去する第３フィルタ回路を備え、
上記第３フィルタ回路により低周波成分が除去された信号が、上記２値化回路に供給される上記第２フィルタ回路により低周波成分が除去された信号に足し合わせられていることを特徴とするパルス通信受信回路。
【請求項２】
入力信号の低周波成分を第１低域遮断周波数に基づいて除去する第１フィルタ回路と、上記第１フィルタ回路により低周波成分が除去された信号を増幅する第１増幅器と、上記第１増幅器により増幅された信号の低周波成分を第２低域遮断周波数に基づいて除去する第２フィルタ回路と、上記第２フィルタ回路により低周波成分が除去された信号を閾値と比較することにより２値化したパルス信号を作成する２値化回路とを備えているパルス通信受信回路であって、
上記入力信号の低周波成分を第３低域遮断周波数に基づいて除去する第３フィルタ回路を備え、
上記第３フィルタ回路により低周波成分が除去された信号の電圧レベルが、上記２値化回路が用いる閾値の電圧レベルから差し引かれていることを特徴とするパルス通信受信回路。
【請求項３】
上記入力信号を増幅する第２増幅器をさらに備え、
上記第２増幅器により増幅された信号が、上記第１フィルタ回路および上記第３フィルタ回路に供給されていることを特徴とする請求項１または２に記載のパルス通信受信回路。
【請求項４】
入力端子が上記第２増幅器の出力端子に接続されるとともに、出力端子が上記第２増幅器の入力端子に接続された、上記第２増幅器の出力信号の直流成分および低周波成分を高域遮断周波数に基づいて取り出し増幅する第３増幅器をさらに備えていることを特徴とする請求項３に記載のパルス通信受信回路。
【請求項５】
上記第３増幅器の高域遮断周波数は、上記入力信号の周波数よりも１桁以上低い周波数に設定されていることを特徴とする請求項４に記載のパルス通信受信回路。
【請求項６】
上記第３増幅器の高域遮断周波数は、上記第１フィルタ回路の第１低域遮断周波数および上記第２フィルタ回路の第２低域遮断周波数のうち低い方の周波数よりも１桁以上低い周波数に設定されていることを特徴とする請求項４に記載のパルス通信受信回路。
【請求項７】
上記第２フィルタ回路により低周波成分が除去された信号は増幅されていることを特徴とする請求項１または２に記載のパルス通信受信回路。
【請求項８】
上記第３フィルタ回路により低周波成分が除去された信号は増幅されていることを特徴とする請求項１または２に記載のパルス通信受信回路。
【請求項９】
上記第３フィルタ回路の第３低域遮断周波数は、上記第１フィルタ回路の第１低域遮断周波数および上記第２フィルタ回路の第２低域遮断周波数のうち低い方の周波数と同じ周波数に設定されていることを特徴とする請求項１または２に記載のパルス通信受信回路。
【請求項１０】
上記第３フィルタ回路の第３低域遮断周波数は、上記第１フィルタ回路の第１低域遮断周波数および上記第２フィルタ回路の第２低域遮断周波数のうち低い方の周波数よりも低い周波数に設定されていることを特徴とする請求項１または２に記載のパルス通信受信回路。
【請求項１１】
上記第１フィルタ回路、第２フィルタ回路、および第３フィルタ回路は、それぞれの低域遮断周波数を設定する素子が、同一製造工程にて作成された容量素子および抵抗により構成されていることを特徴とする請求項１または２に記載のパルス通信受信回路。
【請求項１２】
上記第１フィルタ回路、第２フィルタ回路、および第３フィルタ回路は、それぞれの低域遮断周波数を設定する素子が、同一製造工程にて作成された容量素子と、１つの電流源回路から生成された同一特性をもつ電流源とにより構成されていることを特徴とする請求項１または２に記載のパルス通信受信回路。
【請求項１３】
無線または有線通信機能を有しており、
請求項１〜１２のいずれか１項に記載のパルス通信受信回路を備えていることを特徴とする電子機器。
【発明の詳細な説明】
【技術分野】
【０００１】
本発明は、デジタル通信などのパルス通信システムにて用いられるパルス通信受信回路、およびそれを備える電子機器に関するものであり、特に、無線通信システムのパルス受信技術に関するものである。
【背景技術】
【０００２】
光通信などの無線通信システムにおけるデジタル信号の伝送では、受信素子に入力される信号レベルは一定ではなく、通常、５桁以上の幅をもっている。それゆえ、受信機は、微弱な信号入力にも対応できるような利得が求められる一方で、過大な入力に対しても飽和しないように工夫する必要がある。これに関しては様々な方法が考えられており、その中の１つとして、図８に示すように、入力した光パルス信号のエッジのみを検出することで、受信パルスを生成する方法が知られている。
【０００３】
図８は、パルスエッジ検出を用いて受信パルスを生成する方法の各信号波形を示す図である。
【０００４】
この方法では、まず、入力信号の低周波成分を除去して、エッジのみを抽出する。次いで、微弱な信号にも感応できるようにするために、高ゲインの増幅器で抽出されたエッジを増幅する。最後に、増幅した信号を、予め設定した閾値＋Ｖｔｈ，−Ｖｔｈと比較して２値化する。これにより、入力信号の振幅情報を使用しないことで、大入力時でもアンプを飽和させること無く、受信パルスを生成することが可能となっている。
【０００５】
しかし、増幅器にはオフセット電圧（ＤＣオフセット）が必ず存在する。オフセット電圧は、増幅器が高ゲインであるほど、大きな信号レベルの差を発生するように出力信号に現れる。このため、高ゲインの増幅器の出力信号をそのまま閾値と比較しても、オフセット電圧の影響によってばらつきが生じるので、正常動作が期待できない。
【０００６】
増幅器のオフセット電圧をキャンセルする技術は、例えば、特許文献１などに記載されている。つまりは、増幅器のオフセット電圧をキャンセルするためには、高ゲインの増幅器の出力信号から、もう１度、信号の直流成分を含む低周波成分を除去した後に、閾値と比較する必要がある。それゆえ、低周波成分の除去を２回行うことになる。
【０００７】
ところが、低周波成分の除去を２回行うことで、図９に示すように、逆方向のエッジが発生してしまい、その信号が閾値を超えてしまうと誤動作（出力信号のパルス幅の減少、偽パルスの発生）を起こす、という新たな問題が発生した。
【０００８】
この問題に対し、例えば、特許文献２には、１回目の低周波成分の除去を行った信号に、除去前の信号の一部を足し合わせることで、エッジ信号の立上り時の振幅に比べ、立下り時の振幅を小さくする技術が記載されている。これにより、２回目の低周波成分の除去によって逆方向に発生する信号の振幅を抑制し、誤動作を抑制している。
【特許文献１】特開２００２−２３２２７１号公報（平成１４年８月１６日公開）
【特許文献２】特開２００３−２０４２５３号公報（平成１５年７月１８日公開）
【発明の開示】
【発明が解決しようとする課題】
【０００９】
しかしながら、上記特許文献２に記載の技術では、逆方向に発生する信号に対して、抑制は行っているものの無くすことはできず、また、発生量も制御することはできないという問題点を有している。この問題点を有していることから、誤動作防止のためには、閾値に余裕を持たせる必要があり、受信感度を向上させるには至らない。
【００１０】
本発明は、上記従来の問題点に鑑みなされたものであって、その目的は、逆方向に発生する信号を無くし、または、無いに等しくなるように制御し、誤動作を防止することができるパルス通信受信回路、およびそれを備える電子機器を提供することにある。
【課題を解決するための手段】
【００１１】
本発明のパルス通信受信回路は、上記課題を解決するために、入力信号の低周波成分を第１低域遮断周波数に基づいて除去する第１フィルタ回路と、上記第１フィルタ回路により低周波成分が除去された信号を増幅する第１増幅器と、上記第１増幅器により増幅された信号の低周波成分を第２低域遮断周波数に基づいて除去する第２フィルタ回路と、上記第２フィルタ回路により低周波成分が除去された信号を閾値と比較することにより２値化したパルス信号を作成する２値化回路とを備えているパルス通信受信回路であって、上記入力信号の低周波成分を第３低域遮断周波数に基づいて除去する第３フィルタ回路を備え、上記第３フィルタ回路により低周波成分が除去された信号が、上記２値化回路に供給される上記第２フィルタ回路により低周波成分が除去された信号に足し合わせられていることを特徴としている。
【００１２】
上記の構成によれば、第１フィルタ回路により検出した入力信号のエッジのみを用いて、パルス信号が作成されている。また、第１増幅器により、第１フィルタ回路の出力信号が増幅されている。これにより、例えば、光通信システムなど、入力信号の振幅レベルが大幅に変化する通信システムにおいて用いられる場合、入力信号の強度が大きいときの増幅器飽和によるパルス幅歪みの防止と、入力信号の強度が小さいときの感度確保とを両立することが可能となる。
【００１３】
また、第１増幅器の出力信号には、増幅によるオフセット電圧が発生しているが、第２フィルタ回路によりオフセット電圧が除去されている。さらに、第２フィルタ回路により低周波成分が除去された信号には、２回の低周波除去が行われていることによって、逆方向に発生する信号成分が含まれているが、第３フィルタ回路により低周波成分が除去された信号が、２値化回路に供給される第２フィルタ回路により低周波成分が除去された信号に足し合わせられていることにより相殺される。つまりは、第３フィルタ回路が、２回の低周波除去によって逆方向に発生した信号成分と同成分の信号を作り出すことで、逆方向に発生する信号成分を打ち消している。これにより、２値化する際、閾値と比較する信号には、逆方向に発生する信号成分が無いので、誤動作を防止することが可能となる。
【００１４】
また、本発明のパルス通信受信回路は、上記課題を解決するために、入力信号の低周波成分を第１低域遮断周波数に基づいて除去する第１フィルタ回路と、上記第１フィルタ回路により低周波成分が除去された信号を増幅する第１増幅器と、上記第１増幅器により増幅された信号の低周波成分を第２低域遮断周波数に基づいて除去する第２フィルタ回路と、上記第２フィルタ回路により低周波成分が除去された信号を閾値と比較することにより２値化したパルス信号を作成する２値化回路とを備えているパルス通信受信回路であって、上記入力信号の低周波成分を第３低域遮断周波数に基づいて除去する第３フィルタ回路を備え、上記第３フィルタ回路により低周波成分が除去された信号の電圧レベルが、上記２値化回路が用いる閾値の電圧レベルから差し引かれていることを特徴としている。
【００１５】
上記の構成によれば、第１フィルタ回路により検出した入力信号のエッジのみを用いて、パルス信号が作成されている。また、第１増幅器により、第１フィルタ回路の出力信号が増幅されている。これにより、例えば、光通信システムなど、入力信号の振幅レベルが大幅に変化する通信システムにおいて用いられる場合、入力信号の強度が大きいときの増幅器飽和によるパルス幅歪みの防止と、入力信号の強度が小さいときの感度確保とを両立することが可能となる。
【００１６】
また、第１増幅器の出力信号には、増幅によるオフセット電圧が発生しているが、第２フィルタ回路によりオフセット電圧が除去されている。さらに、第２フィルタ回路により低周波成分が除去された信号には、２回の低周波除去が行われていることによって、逆方向に発生する信号成分が含まれているが、第３フィルタ回路により低周波成分が除去された信号の電圧レベルが、２値化回路が用いる閾値の電圧レベルから差し引かれていることにより、閾値が逆方向の信号成分に追従して変化することになる。
【００１７】
これにより、逆方向に発生する信号成分があったとしても、この逆方向に発生する信号成分は閾値を超えることが無い。よって、２値化する際、閾値と比較する信号には、逆方向に発生する信号成分が無いに等しくなるので、誤動作を防止することが可能となる。
【００１８】
また、本発明のパルス通信受信回路は、上記入力信号を増幅する第２増幅器をさらに備え、上記第２増幅器により増幅された信号が、上記第１フィルタ回路および上記第３フィルタ回路に供給されていることが好ましい。
【００１９】
上記の構成によれば、さらに全体の利得を上げることが可能となる。また、特に入力信号が、第１フィルタ回路および第３フィルタ回路の入力インピーダンスに対して駆動能力が充分でない場合には、入力信号が第２増幅器によってバッファされることにより、第１フィルタ回路および第３フィルタ回路の入力インピーダンスの影響を受けにくくなるので、非常に有用である。
【００２０】
しかし、第２増幅器を備える構成では、入力信号に直流成分が乗っている場合、その直流成分によって第２増幅器のダイナミックレンジが狭まってしまうことがある。そこで、本発明のパルス通信受信回路は、入力端子が上記第２増幅器の出力端子に接続されるとともに、出力端子が上記第２増幅器の入力端子に接続された、上記第２増幅器の出力信号の直流成分および低周波成分を高域遮断周波数に基づいて取り出し増幅する第３増幅器をさらに備えていることが望ましい。
【００２１】
上記の構成によれば、第２増幅器の出力信号の直流成分および低周波成分を、第２増幅器に入力される入力信号から差し引くことによって、入力信号に重畳する直流成分を除去することが可能となる。これにより、第２増幅器のダイナミックレンジが狭まってしまうことを防ぐことが可能となる。
【００２２】
また、本発明のパルス通信受信回路は、上記第３増幅器の高域遮断周波数は、上記入力信号の周波数よりも１桁以上低い周波数に設定されていることが好ましい。これにより、第３増幅器が除去しようとする周波数成分には、ほぼ信号成分は含まれなくなるので、第３増幅器の追加による入力信号そのものの劣化を防ぐことが可能となる。
【００２３】
または、本発明のパルス通信受信回路は、上記第３増幅器の高域遮断周波数は、上記第１フィルタ回路の第１低域遮断周波数および上記第２フィルタ回路の第２低域遮断周波数のうち低い方の周波数よりも１桁以上低い周波数に設定されていてもよい。これにより、入力信号から第３増幅器によって除去された周波数成分は、第１フィルタ回路および第２フィルタ回路にとってはほぼ機能しない周波数となるため、第１フィルタ回路および第２フィルタ回路による波形操作に影響を与えないことが可能となる。
【００２４】
また、本発明のパルス通信受信回路は、上記足し合わせて相殺する効果、または、上記差し引いて閾値を変化させる効果を好適に制御して奏するために、上記第２フィルタ回路により低周波成分が除去された信号は増幅されていることが望ましい。さらに、上記第３フィルタ回路により低周波成分が除去された信号は増幅されていることが望ましい。
【００２５】
また、本発明のパルス通信受信回路は、上記第３フィルタ回路の第３低域遮断周波数は、上記第１フィルタ回路の第１低域遮断周波数および上記第２フィルタ回路の第２低域遮断周波数のうち低い方の周波数と同じ周波数に設定されていることが好ましい。これにより、第３フィルタ回路により低周波成分が除去された信号の時定数を、逆方向に発生する信号成分の時定数と一致させることが可能となり、上記作用効果を最適化することが可能となる。
【００２６】
または、本発明のパルス通信受信回路は、上記第３フィルタ回路の第３低域遮断周波数は、上記第１フィルタ回路の第１低域遮断周波数および上記第２フィルタ回路の第２低域遮断周波数のうち低い方の周波数よりも低い周波数に設定されていてもよい。これにより、入力信号の波形変動や増幅器の特性変動で、逆方向に発生する信号成分の時定数が変化した際にも、より長い時間、変動の波形にて補正をかけるため、補正後の波形の変化を少なくすることが可能となる。
【００２７】
また、本発明のパルス通信受信回路は、上記第１フィルタ回路、第２フィルタ回路、および第３フィルタ回路は、それぞれの低域遮断周波数を設定する素子が、同一製造工程にて作成された容量素子および抵抗により構成されていることが好ましい。これにより、素子間の相対誤差を最小限に抑え、第１フィルタ回路、第２フィルタ回路、および第３フィルタ回路のそれぞれの低域遮断周波数の相対的なずれを抑えることが可能となり、時定数の一致、または大小関係の維持が可能となる。
【００２８】
または、本発明のパルス通信受信回路は、上記第１フィルタ回路、第２フィルタ回路、および第３フィルタ回路は、それぞれの低域遮断周波数を設定する素子が、同一製造工程にて作成された容量素子と、１つの電流源回路から生成された同一特性をもつ電流源とにより構成されていてもよい。これにより、第１フィルタ回路、第２フィルタ回路、および第３フィルタ回路の、容量および電流値に応じて定められた時定数から決定される低域遮断周波数の相対的なずれを抑えることが可能となり、時定数の一致、または大小関係の維持が可能となる。
【００２９】
また、本発明の電子機器は、無線または有線通信機能を有しており、上記パルス通信受信回路を備えていることを特徴としている。
【００３０】
上記の構成によれば、パルス通信受信回路が、受信した光パルス信号の幅に応じて、正常なパルス信号を作成するので、パルス幅が情報を持つデジタル伝送システムにおいて用いる場合、受信感度の向上を期待することが可能である。特に、受信感度の向上が図ることができるので、赤外線通信における通信距離の向上に有用である。また、光通信などの無線通信システムにおいて用いる場合、受信信号レベルに大きな幅があったとしても、好適にパルス信号を作成することが可能である。
【発明の効果】
【００３１】
以上のように、本発明のパルス通信受信回路は、入力信号の低周波成分を第３低域遮断周波数に基づいて除去する第３フィルタ回路を備え、上記第３フィルタ回路により低周波成分が除去された信号が、上記２値化回路に供給される上記第２フィルタ回路により低周波成分が除去された信号に足し合わせられている構成である。
【００３２】
それゆえ、第２フィルタ回路により低周波成分が除去された信号には、２回の低周波除去が行われていることによって、逆方向に発生する信号成分が含まれているが、第３フィルタ回路により低周波成分が除去された信号が、２値化回路に供給される第２フィルタ回路により低周波成分が除去された信号に足し合わせられていることにより相殺される。したがって、２値化する際、閾値と比較する信号には、逆方向に発生する信号成分が無いので、誤動作を防止することができるという効果を奏する。
【００３３】
また、本発明のパルス通信受信回路は、入力信号の低周波成分を第３低域遮断周波数に基づいて除去する第３フィルタ回路を備え、第３フィルタ回路により低周波成分が除去された信号の電圧レベルが、２値化回路が用いる閾値の電圧レベルから差し引かれている構成である。
【００３４】
それゆえ、第２フィルタ回路により低周波成分が除去された信号には、２回の低周波除去が行われていることによって、逆方向に発生する信号成分が含まれているが、第３フィルタ回路により低周波成分が除去された信号の電圧レベルが、２値化回路が用いる閾値の電圧レベルから差し引かれていることにより、閾値が逆方向の信号成分に追従して変化することになる。よって、逆方向に発生する信号成分があったとしても、この逆方向に発生する信号成分は閾値を超えることが無い。したがって、２値化する際、閾値と比較する信号には、逆方向に発生する信号成分が無いに等しくなるので、誤動作を防止することができるという効果を奏する。
【００３５】
また、本発明の電子機器は、無線または有線通信機能を有しており、上記パルス通信受信回路を備えている構成である。
【００３６】
それゆえ、パルス通信受信回路が、受信した光パルス信号の幅に応じて、正常なパルス信号を作成するので、パルス幅が情報を持つデジタル伝送システムにおいて用いる場合、受信感度の向上を期待することができるという効果を奏する。またこれにより、赤外線通信における通信距離の向上に有用である。さらに、光通信などの無線通信システムにおいて用いる場合、受信信号レベルに大きな幅があったとしても、好適にパルス信号を作成することができるという効果を奏する。
【発明を実施するための最良の形態】
【００３７】
〔実施の形態１〕
本発明の一実施形態について図面に基づいて説明すれば、以下の通りである。
【００３８】
（パルス通信受信回路の構成）
図１は、本実施の形態のパルス通信受信回路１００の一構成例を示す回路図である。
【００３９】
図１に示すように、パルス通信受信回路１００は、フォトダイオード１０１、初段増幅器１０２（第２増幅器）、高域遮断増幅器１０３（第３増幅器）、低周波カットフィルタ１０４（第１フィルタ回路）、電圧増幅器１０５（第１増幅器）、低周波カットフィルタ１０６（第２フィルタ回路）、電圧増幅器１０７、低周波カットフィルタ１０８（第３フィルタ回路）、電圧増幅器１０９、加算器１１０、２値化回路１１１、第１固定電源１１２、第２固定電源１１３、および出力端子１１４を備えている。
【００４０】
フォトダイオード１０１は、送信機（図示せず）から送信されてきた光パルス信号を受信するものである。フォトダイオード１０１は、光パルス信号を受光（入力）することで電流信号を流す。この電流信号は、初段増幅器１０２に出力される。
【００４１】
初段増幅器１０２は、フォトダイオード１０１から出力された電流信号を電圧信号に変換し、増幅する増幅器である。初段増幅器１０２は、増幅した電圧信号を、低周波カットフィルタ１０４に出力するとともに、低周波カットフィルタ１０８に出力する。
【００４２】
高域遮断増幅器１０３は、初段増幅器１０２から出力された電圧信号の直流成分および低周波成分を、所定の高域遮断周波数に基づいて取り出し増幅する増幅器である。高域遮断増幅器１０３は、入力端子が初段増幅器１０２の出力端子に接続され、出力端子が初段増幅器１０２の入力端子に接続されており、初段増幅器１０２の出力電圧に基づいて、初段増幅器１０２に入力される電流信号の直流成分を打ち消すように生成した電流信号を、初段増幅器１０２の入力にフィードバックする。
【００４３】
また、高域遮断増幅器１０３の高域遮断周波数は、光パルス信号の周波数よりも１桁以上低い周波数、または、低周波カットフィルタ１０４の低域遮断周波数ｆｃ４、および、低周波カットフィルタ１０８の低域遮断周波数ｆｃ８のうち低い方の周波数よりも１桁以上低い周波数に設定されている。
【００４４】
低周波カットフィルタ１０４は、固有の低域遮断周波数ｆｃ４に基づいて、電圧信号の低周波成分を除去するフィルタであり、電圧信号の立上りエッジおよび立下りエッジを検出するために設けられている。低周波カットフィルタ１０４は、初段増幅器１０２から出力された電圧信号の高周波成分を通過させて、電圧増幅器１０５に出力する。
【００４５】
電圧増幅器１０５は、低周波カットフィルタ１０４から出力された電圧信号を増幅して、低周波カットフィルタ１０６に出力する。電圧増幅器１０５の利得（ゲイン）は、フォトダイオード１０１に入力された光パルス信号の強度が小さく、低周波カットフィルタ１０４から出力された電圧信号が微弱な場合であっても感応できるように設定されている。
【００４６】
低周波カットフィルタ１０６は、固有の低域遮断周波数ｆｃ６に基づいて、電圧信号の直流成分を含む低周波成分を除去するフィルタであり、電圧増幅器１０５で発生したオフセット電圧の影響を排除するために設けられている。低周波カットフィルタ１０６は、電圧増幅器１０５から出力された電圧信号の高周波成分を通過させて、電圧増幅器１０７に出力する。
【００４７】
電圧増幅器１０７は、低周波カットフィルタ１０６から出力された電圧信号を増幅して、加算器１１０に出力する。電圧増幅器１０７の利得は、電圧増幅器１０５の利得よりも低く設定され、例えば、２値化回路１１１にて十分に用いることができる程度に設定されていればよい。
【００４８】
低周波カットフィルタ１０８は、固有の低域遮断周波数ｆｃ８に基づいて、電圧信号の低周波成分を除去するフィルタであり、２値化回路１１１に供給する電圧信号に含まれている逆方向に発生する信号成分の影響を排除するために設けられている。低周波カットフィルタ１０８は、初段増幅器１０２から出力された電圧信号の高周波成分を通過させて、電圧増幅器１０９に出力する。
【００４９】
電圧増幅器１０９は、低周波カットフィルタ１０８から出力された電圧信号を増幅して、加算器１１０に出力する。電圧増幅器１０９の利得は、後述するように、電圧増幅器１０５・１０７の利得に合わせて設定されている。
【００５０】
加算器１１０は、電圧増幅器１０７から出力された電圧信号と、電圧増幅器１０９から出力された電圧信号とを足し合わせる（加算する）ものである。加算器１１０は、足し合わせた電圧信号を２値化回路１１１に出力する。
【００５１】
２値化回路１１１は、加算器１１０から出力された電圧信号を、第１固定電源１１２から供給される閾値電圧＋Ｖｔｈ、および、第２固定電源１１３から供給される閾値電圧−Ｖｔｈとそれぞれ比較することにより、２値化したパルス信号を作成する。第１固定電源１１２は、プラス端子が２値化回路１１１に接続され、マイナス端子が接地されている。第２固定電源１１３は、マイナス端子が２値化回路１１１に接続され、プラス端子が接地されている。２値化回路１１１は、作成したパルス信号を出力端子１１４に出力する。
【００５２】
なお、低周波カットフィルタ１０４，１０６，および１０８は、後述するように同一の構成を有していることが好ましい。低周波カットフィルタ１０４，１０６，および１０８の詳細な構成について説明する。
【００５３】
図３は、低周波カットフィルタの簡易な一例を示す回路図である。図３に示すように、低周波カットフィルタは、入力部１５１、容量Ｃを有するコンデンサ１５２（容量素子）、抵抗Ｒを有する抵抗１５３、および出力部１５４により構成されている。コンデンサ１５２は、一方の端子が入力部１５１に接続され、他方の端子が出力部１５４に接続されている。抵抗１５３は、一方の端子がコンデンサ１５２の上記他方の端子に接続され、他方の端子が接地されている。図３に示す低周波カットフィルタでは、時定数は「Ｃ・Ｒ」となり、低域遮断周波数は「ｆ＝１／（２π・Ｃ・Ｒ）」となる。
【００５４】
また、図４に、低周波カットフィルタの他の例を示す。図４に示すように、低周波カットフィルタは、入力部１６１、バイポーラトランジスタ１６２、電流ｉを発生する定電流源１６３（電流源）、容量Ｃを有するコンデンサ１６４（容量素子）、および出力部１６５により構成されている。バイポーラトランジスタ１６２は、ベースが入力部１６１に接続され、コレクタが出力部１６５に接続され、エミッタが定電流源１６３およびコンデンサ１６４に接続されている。コンデンサ１６４の他端は接地されている。
【００５５】
図４に示す低周波カットフィルタでは、時定数は「Ｖｔ・Ｃ／ｉ」（Ｖｔ：半導体の熱電圧）となる。これにより、バイポーラトランジスタ１６２に流す電流によって、時定数の制御が可能となっている。
【００５６】
（パルス通信受信回路の信号処理動作）
次に、図１，２を参照しながら、パルス通信受信回路１００の信号処理動作について説明する。
【００５７】
図２は、パルス通信受信回路１００の各信号波形を示す図である。
【００５８】
光パルス信号がフォトダイオード１０１に受光されると、フォトダイオード１０１から初段増幅器１０２に電流信号が出力され、初段増幅器１０２から電圧信号Ｖ１が出力される。電圧信号Ｖ１は、光パルス信号と同じ幅の信号波形を有している。電圧信号Ｖ１は、低周波カットフィルタ１０４および低周波カットフィルタ１０８にそれぞれ出力される。
【００５９】
なお、特に光パルス信号（すなわち電流信号）が、低周波カットフィルタ１０４および低周波カットフィルタ１０８の入力インピーダンスに対して駆動能力が充分でない場合であっても、電流信号が初段増幅器１０２によってバッファされることにより、初段増幅器１０２から出力される電圧信号は、入力インピーダンスの影響を受けにくくなる。それゆえ、初段増幅器１０２を備えることは、非常に有用である。
【００６０】
但し、初段増幅器１０２を備えることによって、電流信号に直流成分が乗っている場合、その直流成分によって初段増幅器１０２のダイナミックレンジが狭まってしまうことがある。このような場合においては、高域遮断増幅器１０３により、初段増幅器１０２の出力信号の直流成分および低周波成分を、初段増幅器１０２に入力される入力信号から差し引くことによって、入力信号に重畳する直流成分を除去することが可能となる。それゆえ、初段増幅器１０２のダイナミックレンジが狭まってしまうことを防ぐことが可能となっている。
【００６１】
また、この際、高域遮断増幅器１０３の高域遮断周波数が、光パルス信号の周波数よりも１桁以上低い周波数に設定されている場合は、高域遮断増幅器１０３が除去しようとする周波数成分には、ほぼ信号成分は含まれなくなるので、高域遮断増幅器１０３を備えることによる光パルス信号そのものの劣化を防ぐことが可能となる。
【００６２】
または、高域遮断増幅器１０３の高域遮断周波数が、低周波カットフィルタ１０４の低域遮断周波数ｆｃ４、および、低周波カットフィルタ１０８の低域遮断周波数ｆｃ８のうち低い方の周波数よりも１桁以上低い周波数に設定されている場合は、電流信号から高域遮断増幅器１０３によって除去された周波数成分は、低周波カットフィルタ１０４および低周波カットフィルタ１０８にとってはほぼ機能しない周波数となるため、低周波カットフィルタ１０４および低周波カットフィルタ１０８による波形操作に影響を与えないことが可能となる。
【００６３】
続いて、低周波カットフィルタ１０４に出力された電圧信号Ｖ１は、低周波カットフィルタ１０４により低周波成分が除去され、電圧増幅器１０５から電圧信号Ｖ２として出力される。ここで、電圧信号Ｖ１の立上り時間および立下り時間は、低周波カットフィルタ１０４の低域遮断周波数ｆｃ４に比べ、充分に高い周波数であると仮定する。この場合、電圧信号Ｖ１の立上り成分および立下り成分は、低周波カットフィルタ１０４によって影響を受けないが、電圧信号Ｖ１の直流成分は、低域遮断周波数ｆｃ４に従って減衰することになる。
【００６４】
これにより、電圧増幅器１０５は、低周波カットフィルタ１０４の出力信号を増幅するだけであるので、電圧信号Ｖ２は、低周波カットフィルタ１０４により形成された波形を基本とした信号波形となる。すなわち、図２に示すように、電圧信号Ｖ１の立上りエッジと立下りエッジとを検出した信号波形となる。立上りエッジ・立下りエッジ間は、低域遮断周波数ｆｃ４に相当する減衰カーブを描く。
【００６５】
そして、電圧増幅器１０５から出力された電圧信号Ｖ２は、低周波カットフィルタ１０４により直流成分を含む低周波成分が除去され、電圧増幅器１０７から電圧信号Ｖ３として、加算器１１０に出力される。電圧信号Ｖ２は、電圧増幅器１０５による増幅によりオフセット電圧が発生しているが、低周波カットフィルタ１０４により、電圧信号Ｖ３はオフセット電圧の影響が排除されている。
【００６６】
ここで、低周波カットフィルタ１０６の低域遮断周波数ｆｃ６も、低周波カットフィルタ１０４と同様、電圧信号Ｖ１の立上り時間および立下り時間の周波数に比べ、充分に低いとする。この場合、電圧信号Ｖ２に現れている電圧信号Ｖ１の立上り成分および立下り成分は、低周波カットフィルタ１０６によって影響を受けないが、電圧信号Ｖ２に現れている低域遮断周波数ｆｃ４に従って減衰する信号成分は、低周波カットフィルタ１０６によって減衰に拍車がかかる。
【００６７】
これにより、電圧増幅器１０７は、低周波カットフィルタ１０６の出力信号を増幅するだけであるので、電圧信号Ｖ３は、低周波カットフィルタ１０６により形成された波形を基本とした信号波形となる。すなわち、図２に示すように、電圧信号Ｖ１の立上りエッジと立下りエッジとを検出した信号波形となるが、立上りエッジ・立下りエッジ間において信号が逆方向に発生してしまう。立上りエッジ・立下りエッジ間は、ほぼ低域遮断周波数ｆｃ６に相当する減衰カーブを描く。
【００６８】
ここで、電圧信号Ｖ１の立上り時間および立下り時間の周波数が、低周波カットフィルタ１０４・１０６の低域遮断周波数ｆｃ４・ｆｃ６に比べて充分に高いとすると、電圧信号Ｖ１は矩形波とみなすことができる。この場合、低周波カットフィルタ１０４・１０６を通過後の電圧信号Ｖ３は、次の式（１）のように示される。
【００６９】
Ｖ３＝τ６／（τ６−τ４）・exp（−ｔ／τ４）
−τ４／（τ６−τ４）・exp（−ｔ／τ６）  ・・・式（１）
τ４：低周波カットフィルタ１０４の低域遮断周波数ｆｃ４に相当する時定数
τ６：低周波カットフィルタ１０６の低域遮断周波数ｆｃ６に相当する時定数
ｔ：電圧信号Ｖ１が立上る時間を０としたときの経過時間
なお、式（１）は、電圧信号Ｖ１がｔ＝０で立ち上がった後、立下る手前までを表現した式であり、電圧増幅器１０５・１０７での利得は考慮に入っていない。
【００７０】
なお、τ４の値は、受信する光パルス信号の最小パルス幅以下とすることが望ましい。つまりは、低周波カットフィルタ１０４の低域遮断周波数ｆｃ４が小さくなるほど、τ４は大きくなる。すなわち、減衰カーブが緩やかになる。このため、低周波カットフィルタ１０４の目的は入力信号のエッジを検出することであるが、この減衰カーブが緩やかになると、入力信号の立下り時点で収束しきらず、立下り波形の振幅が小さくなるという問題が発生する。また、入力信号が立上りの時点でも同様に起こるため、結果として電圧信号Ｖ２の振幅が小さくなる。よって、これを防止するために、τ４の値を受信する光パルス信号の最小パルス幅以下に設定することが望ましい。
【００７１】
また、低周波カットフィルタ１０６は、電圧増幅器１０５のオフセット電圧を除去することが目的であるので、低域遮断周波数ｆｃ６は製造上許す限り小さく、すなわちτ６が大きくなるようにする必要がある。したがって、通常、τ４＜＜τ６（ｆｃ４＞＞ｆｃ６）となる。
【００７２】
τ４＜＜τ６の場合、式（１）では、０＜ｔ＜τ４においては式の左側の項が支配的で、右側の項はほぼ定数となる。一方、ｔ＞τ４では式の左側の項はほぼ０で、式の右側の項が支配的となる。よって、式の右側は引き算の項であり、左側の項はほぼ０であることから、ｔ＞τ４では電圧信号Ｖ３は負の値をとる。これが逆方向に信号が発生することを意味している。
【００７３】
一方、低周波カットフィルタ１０８に出力された電圧信号Ｖ１は、低周波カットフィルタ１０８により低周波成分が除去され、電圧増幅器１０９から電圧信号Ｖ４として、加算器１１０に出力される。ここで、低周波カットフィルタ１０８の低域遮断周波数ｆｃ８も、低周波カットフィルタ１０４と同様、電圧信号Ｖ１の立上り時間および立下り時間の周波数に比べ、充分に低いとする。この場合、電圧信号Ｖ１の立上り成分および立下り成分は、低周波カットフィルタ１０８によって影響を受けないが、電圧信号Ｖ１の直流成分は、低域遮断周波数ｆｃ８に従って減衰することになる。
【００７４】
これにより、電圧増幅器１０９は、低周波カットフィルタ１０８の出力信号を増幅するだけであるので、電圧信号Ｖ４は、図２に示すように、電圧信号Ｖ１の立上りエッジと立下りエッジとを検出した信号波形となる。立上りエッジ・立下りエッジ間は、低域遮断周波数ｆｃ８に相当する減衰カーブを描く。なお、図２に示す電圧信号Ｖ４は、電圧増幅器１０９の利得は、電圧増幅器１０５の利得よりも低く設定されている場合を示している。
【００７５】
ここで、電圧信号Ｖ４は、次の式（２）のように示される。
【００７６】
Ｖ４＝exp（−ｔ／τ８）  ・・・式（２）
τ８：低周波カットフィルタ１０８の低域遮断周波数ｆｃ８に相当する時定数
ｔ：電圧信号Ｖ１が立上る時間を０としたときの経過時間
なお、式（２）は、電圧信号Ｖ１がｔ＝０で立ち上がった後、立下る手前までを表現した式であり、電圧増幅器１０９での利得は考慮に入っていない。
【００７７】
続いて、電圧増幅器１０７から出力された電圧信号Ｖ３と、電圧増幅器１０９から出力された電圧信号Ｖ４とが、加算器１１０により足し合わされ、電圧信号Ｖ５として出力される。このとき、τ４＜＜τ６（ｆｃ４＞＞ｆｃ６）の場合、低周波カットフィルタ１０８の低域遮断周波数ｆｃ８を低周波カットフィルタ１０６の低域遮断周波数ｆｃ６と等しくし（ｆｃ６＝ｆｃ８）、電圧信号Ｖ３と電圧信号Ｖ４とを足し合わせると、電圧信号Ｖ３を示す式（１）の右側の項の時定数と、電圧信号Ｖ４を示す式（２）の時定数とが、ともにτ６（＝τ８）となるので、式（１）の右側の項と式（２）とが相殺可能となる。
【００７８】
よって、電圧増幅器１０９の利得を、電圧増幅器１０５・１０７の利得に合わせて調整すれば、電圧信号Ｖ３を示す式（１）の右側の項、すなわち、電圧信号Ｖ５における逆方向に信号を発生させる成分を除去することが可能となる。
【００７９】
続いて、加算器１１０から出力された電圧信号Ｖ５は、２値化回路１１１により、閾値電圧＋Ｖｔｈおよび閾値電圧−Ｖｔｈとそれぞれ比較される。２値化回路１１１は、電圧信号Ｖ５が閾値電圧＋Ｖｔｈを超えた時点で、ハイレベルとローレベルとを切り替えるとともに、電圧信号Ｖ５が閾値電圧−Ｖｔｈを超えた時点で、ハイレベルとローレベルとを切り替え、２値化したパルス信号を作成する。
【００８０】
電圧信号Ｖ５は、逆方向に発生する信号が無いので、２値化回路１１１からは、誤動作無く、受信した光パルス信号に応じたパルス信号（電圧パルス）を出力することが可能となる。これにより、出力端子１１４から、正常なパルス信号が出力される。
【００８１】
以上のように、パルス通信受信回路１００では、低周波カットフィルタ１０４により検出した光パルス信号のエッジのみを用いて、パルス信号が作成されている。また、電圧増幅器１０５により、低周波カットフィルタ１０４の出力信号が増幅されている。これにより、パルス通信受信回路１００が、例えば、光通信システムなど、光パルス信号の振幅レベルが大幅に変化する通信システムにおいて用いられる場合、光パルス信号の強度が大きいときの増幅器飽和によるパルス幅歪みの防止と、光パルス信号の強度が小さいときの感度確保とを両立することが可能となる。
【００８２】
また、電圧増幅器１０５から出力された電圧信号Ｖ２には、増幅によるオフセット電圧が発生しているが、低周波カットフィルタ１０６によりオフセット電圧が除去されている。さらに、電圧増幅器１０７から出力された電圧信号Ｖ３には、２回の低周波除去が行われていることによって、逆方向に発生する信号成分が含まれているが、加算器１１０により電圧信号Ｖ３に電圧信号Ｖ４が足し合わせられているので相殺されている。
【００８３】
つまりは、低周波カットフィルタ１０８が、２回の低周波除去によって逆方向に発生した信号成分と同成分の信号を作り出すことで、逆方向に発生する信号成分を打ち消している。これにより、２値化回路１１１が２値化する際、電圧信号Ｖ５には逆方向に発生する信号成分が無いので、誤動作を防止することが可能となる。
【００８４】
なお、上述したパルス通信受信回路１００では、電圧増幅器１０９を備える構成としていたが、これに限るものではなく、電圧増幅器１０５・１０７の利得を調整すれば、電圧増幅器１０９を備えない構成としてもよい。また、電圧増幅器１０７も省略可能である。これにより、回路の小型化や、生産工程での負荷低減を図ることが可能となる。
【００８５】
また、低周波カットフィルタ１０６の低域遮断周波数ｆｃ６と、低周波カットフィルタ１０８の低域遮断周波数ｆｃ８とを等しくする設定に限らず、低周波カットフィルタ１０８の低域遮断周波数ｆｃ８を、低周波カットフィルタ１０６の低域遮断周波数ｆｃ６よりもやや低い周波数に設定してもよい（ｆｃ８＜ｆｃ６）。
【００８６】
この場合、τ８＞τ６となるために、式（１）の右側の項が支配的になるｔ＞τ４の領域において、電圧信号Ｖ３と電圧信号Ｖ４とを足し合わせた結果は相殺しないが、やや正の値をとるようにすることが可能となる。現実のデバイスでは、τ６とτ８とを完全に一致させることは難しいため、このようにτ８をτ６よりもやや大きくして、逆方向への信号の発生を抑えることが有用である。
【００８７】
さらには、光パルス信号の波形変動や増幅器の特性変動で、逆方向に発生する信号成分（式（１）の右側の項）の時定数が変化した際にも、より長い時間、変動の波形にて補正をかけるため、補正後の波形の変化を少なくすることが可能となる。
【００８８】
なお、式（１）から明らかなように、τ４とτ６とを入れ替えても同一の式となることから、低周波カットフィルタ１０４の低域遮断周波数ｆｃ４と、低周波カットフィルタ１０６の低域遮断周波数ｆｃ６とは、大小関係にはとらわれない。
【００８９】
〔実施の形態２〕
本発明の他の実施の形態について図面に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００９０】
図５は、本実施の形態のパルス通信受信回路２００の一構成例を示す回路図である。
【００９１】
図５に示すように、本実施の形態のパルス通信受信回路２００は、前記実施の形態１のパルス通信受信回路１００の構成のうち加算器１１０を除いた構成に加えて、減算器２０１を備えている。
【００９２】
減算器２０１は、２値化回路１１１に供給される閾値電圧＋Ｖｔｈおよび閾値電圧−Ｖｔｈから、電圧増幅器１０９から出力された電圧信号の電圧レベルをそれぞれ差し引く（引算する）ものである。減算器２０１は、電圧増幅器１０９から出力された電圧信号を入力するとともに、第１固定電源１１２および第２固定電源１１３と、グランドとの間に接続挿入されている。
【００９３】
図６は、パルス通信受信回路２００の各信号波形を示す図である。
【００９４】
図１に示したパルス通信受信回路１００では、２値化回路１１１に供給する電圧信号Ｖ３に、電圧信号Ｖ４を足し合わせて逆方向に発生する信号が無くすことにより、誤動作を防止していたが、図５に示すパルス通信受信回路２００では、２値化回路１１１には、電圧増幅器１０７から出力された電圧信号Ｖ３をそのまま入力させる一方で、２値化回路１１１に供給する閾値電圧から電圧信号Ｖ４の電圧レベルを差し引くことにより、誤動作を防止している。
【００９５】
つまりは、減算器２０１を備えることにより、図６に示すように、電圧信号Ｖ４の電圧レベル分を差し引いた閾値電圧＋Ｖｔｈおよび閾値電圧−Ｖｔｈが、２値化回路１１１に供給される。
【００９６】
ここで、電圧信号Ｖ４は、低域遮断周波数ｆｃ８での減衰特性に従って減衰している。また、電圧信号Ｖ３の逆方向に発生する信号成分は、低域遮断周波数ｆｃ６での減衰特性に従って減衰している。それゆえ、ｆｃ６＝ｆｃ８であれば、２値化回路１１１に与える閾値電圧が、電圧信号Ｖ３における逆方向の信号成分に追従して変化することになる。
【００９７】
よって、電圧信号Ｖ３に逆方向に発生する信号成分があったとしても、この逆方向に発生する信号成分は、図９に示したように閾値電圧を超えることが無い。したがって、２値化回路１１１が２値化する際、閾値と比較する電圧信号には、逆方向に発生する信号成分が無いに等しくなるので、誤動作を防止することが可能となる。
【００９８】
なお、パルス通信受信回路２００が奏する効果を確実にするためには、低周波カットフィルタ１０８の低域遮断周波数ｆｃ８を低周波カットフィルタ１０６の低域遮断周波数ｆｃ６と等しくする、または、比を正確に保つことが重要である。そのために、低周波カットフィルタ１０４，１０６，および１０８を、同一製造工程にて作られた素子で構成されていることが望ましい。
【００９９】
例えば、図３に示した構成では、コンデンサ１５２および抵抗１５３には、同一製造工程にて作成された素子を用いることが好ましい。また、図４に示した構成では、コンデンサ１６４には、同一製造工程にて作成されたコンデンサを用い、定電流源１６３には、１つの電流源回路から生成された同一特性をもつ電流源を用いることが好ましい。
【０１００】
これにより、製造工程上のばらつきなどにより、時定数「Ｃ・Ｒ」、または時定数「Ｖｔ・Ｃ／ｉ」の絶対値がずれたとしても、低域遮断周波数の相対的なずれを最小限に抑えることが可能となり、時定数の一致、または大小関係の維持が可能となる。例えば、低域遮断周波数ｆｃ６の絶対値のばらつきにかかわらず、低域遮断周波数ｆｃ８を低域遮断周波数ｆｃ６と等しくする、または、比を正確に保つことが可能となる。
【０１０１】
〔実施の形態３〕
本発明の他の実施の形態について図面に基づいて説明すれば、以下の通りである。なお、本実施の形態において説明すること以外の構成は、前記実施の形態１，２と同じである。また、説明の便宜上、前記の実施の形態１，２の図面に示した部材と同一の機能を有する部材については、同一の符号を付し、その説明を省略する。
【０１０２】
図７は、本実施の形態の通信機器３００の一構成例を示す回路図である。
【０１０３】
通信機器３００は、赤外線通信などの無線通信システム、または、光ファイバーケーブルなどを用いた有線通信システムに適用可能な機能を有する電子機器であり、例えば、光通信を行う携帯電話や、リモコンと赤外線通信するテレビなどである。
【０１０４】
図７に示すように、通信機器３００は、パルス通信受信回路３０１、およびデータ変換回路３０２を備えている。なお、通信機器３００における図示しない残りの部分は、用途に応じた従来の一般的な構成で実現可能である。例えば、データ変換回路３０２の後段には、ＣＰＵや，アプリケーションプロセッサなど（図示せず）が備えられている。
【０１０５】
パルス通信受信回路３０１は、図１に示したパルス通信受信回路１００、または、図５に示したパルス通信受信回路２００である。送信機（図示せず）から送信された光パルス信号をフォトダイオード１０１にて受信すると、パルス通信受信回路３０１は、誤動作無く、受信した光パルス信号に応じたパルス信号を作成し、出力端子１１４から出力する。
【０１０６】
データ変換回路３０２は、パルス通信受信回路３０１から出力されたパルス信号を、データに変換する。変換方法は、従来ある種々の方法を好適に用いることができる。そして、このデータが、ＣＰＵや，アプリケーションプロセッサなどに出力され処理されることにより、通信が成功する。
【０１０７】
このように、通信機器３００では、パルス通信受信回路３０１が、受信した光パルス信号の幅に応じて、正常なパルス信号を作成するので、パルス幅が情報を持つデジタル伝送システムにおいて用いる場合、受信感度の向上を期待することが可能である。またこれにより、特に赤外線通信における通信距離の向上に有用である。
【０１０８】
さらに、光通信などの無線通信システムにおいて用いる場合、フォトダイオード１０１に入力される信号レベルに大きな幅があったとしても、好適にパルス信号を作成することが可能である。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１０】
本発明は、無線通信または有線通信を介して受信した光パルス信号に応じてパルス信号を作成する受信回路に関する分野に好適に用いることができるだけでなく、受信回路の製造方法に関する分野にも好適に用いることができ、さらには、受信回路を備える電気通信機器、例えば、光通信を行う携帯機器や、リモコンと赤外線通信する受像機などの分野にも広く用いることができる。
【図面の簡単な説明】
【０１１１】
【図１】本発明におけるパルス通信受信回路の実施の一形態を示す回路図である。
【図２】上記パルス通信受信回路の各信号波形を示す図である。
【図３】上記パルス通信受信回路における低周波カットフィルタの一構成例を示す回路図である。
【図４】上記パルス通信受信回路における低周波カットフィルタの他の構成例を示す回路図である。
【図５】本発明におけるパルス通信受信回路の他の実施の形態を示す回路図である。
【図６】上記パルス通信受信回路の各信号波形を示す図である。
【図７】本発明における電子機器の実施の一形態を示す回路図である。
【図８】従来における、パルスエッジ検出を用いて受信パルスを生成するときの各信号波形を示す図である。
【図９】従来における、パルスエッジ検出を用いて受信パルスを生成するときに誤動作が発生した場合の各信号波形を示す図である。
【符号の説明】
【０１１２】
１００，２００  パルス通信受信回路
１０１  フォトダイオード
１０２  初段増幅器（第２増幅器）
１０３  高域遮断増幅器（第３増幅器）
１０４  低周波カットフィルタ（第１フィルタ回路）
１０５  電圧増幅器（第１増幅器）
１０６  低周波カットフィルタ（第２フィルタ回路）
１０７  電圧増幅器
１０８  低周波カットフィルタ（第３フィルタ回路）
１０９  電圧増幅器
１１０  加算器
１１１  ２値化回路
１１２  第１固定電源
１１３  第２固定電源
１１４  出力端子
１５２  コンデンサ（容量素子）
１５３  抵抗
１６２  バイポーラトランジスタ
１６３  定電流源（電流源）
１６４  コンデンサ（容量素子）
２０１  減算器
３００  通信機器（電子機器）
３０１  パルス通信受信回路
３０２  データ変換回路
【図１】
2010010817.tif 000003
【図２】
2010010817.tif 000004
【図３】
2010010817.tif 000005
【図４】
2010010817.tif 000006
【図５】
2010010817.tif 000007
【図６】
2010010817.tif 000008
【図７】
2010010817.tif 000009
【図８】
2010010817.tif 000010
【図９】
2010010817.tif 000011